(57)【要約】      （修正有）【課題】重力影響を排除するレンズオートフォーカスのできるフォーカス駆動装置を提供する。【解決手段】外部ホルダ１１と、第１サスペンション部材１２と、磁石セット１３と、内部ホルダ１４と、コイル１５と、複数の内部プリント回路板１６と、複数の外部プリント回路板１７とを備えるフォーカス駆動装置１０であって、当該第１サスペンション部材１２の第２端１２２は、外部ホルダ１１に設置される外部プリント回路板１７に固定され、第２端１２２を固定端に形成させ、当該第１サスペンション部材１２の第１端１２１は、内部ホルダ１４に設置される内部プリント回路板１６に固定され、第１端１２１を可動端に形成させる。内部ホルダ１４の外部にコイル１５が設けられ、内部ホルダ１４は、外部ホルダ１１の磁石セット１３で形成される空間に設置される。連続電流が通電されるコイル１５と磁石セット１３との間で磁力作用を生じる時、内部ホルダ１４を、内部ホルダ１４と平行する方向に往復運動を行わせることができる。【選択図】図１
0003202966.tif 000002
【実用新案登録請求の範囲】
【請求項１】
外部ホルダと、第１サスペンション部材と、磁石セットと、内部ホルダと、コイルと、複数の内部プリント回路板と、複数の外部プリント回路板とを備えるフォーカス駆動装置であって、
前記複数の第１サスペンション部材の第２端は、前記外部ホルダに設置される当該外部プリント回路板に固定され、前記第２端を固定端に形成させ、
前記複数の第１サスペンション部材の第１端は、前記内部ホルダに設置される当該内部プリント回路板に固定され、前記第１端を可動端に形成させ、
前記内部ホルダの外部に前記コイルが設けられ、前記内部ホルダは、前記外部ホルダの前記磁石セットで形成される空間に設置され、
連続電流が通電される前記コイルと前記磁石セットとの間で磁力作用を生じる時、前記内部ホルダを、前記内部ホルダと平行する方向に往復運動を行わせることを特徴とする、フォーカス駆動装置。
【請求項２】
当該第１サスペンション部材は、弾性を有する鋼線であることを特徴とする、請求項１に記載のフォーカス駆動装置。
【請求項３】
前記内部ホルダの移動量は、前記連続電流の強弱の調整を利用することにより制御されることを特徴とする、請求項１に記載のフォーカス駆動装置。
【請求項４】
前記コイルと前記磁石セットとは、互いに対向設置されることを特徴とする、請求項１に記載のフォーカス駆動装置。
【請求項５】
さらに複数の第２サスペンション部材を備え、当該第２サスペンション部材は、第１端と第２端とを有し、前記第１端は、当該内部プリント回路板に固定され、前記第２端は、当該外部プリント回路板に固定されることを特徴とする、請求項１に記載のフォーカス駆動装置。
【請求項６】
前記第２サスペンション部材は、弾性を有する鋼線であることを特徴とする、請求項５に記載のフォーカス駆動装置。
【考案の詳細な説明】
【技術分野】
【０００１】
本考案は、携帯電話レンズを装着する装置に係り、特に、重力影響を排除するレンズオートフォーカスのできるフォーカス駆動装置に関するものである。
【背景技術】
【０００２】
現今、人々の生活は、例えばパソコン、インターネット及び携帯電話などの高技術製品と密接に関連しており、特に、携帯電話により距離制限なしにコミュニケーションできるようになる。製造技術の向上と無限な創意に伴い、携帯電話は多くの付加機能を増設し得るようになされ、その中、軽薄短小のデジタルカメラ携帯電話は人気が最も高いものとなっている。製品の追求と技術革新のため、デジタルカメラ携帯電話は、単に高解像度に発展しているのみならず、さらにオートフォーカス機能を目標として邁進し、これにより、さらなる好ましい販売成績が達成される。
【０００３】
デジタルカメラ携帯電話のズーム技術とは、レンズを軸方向の変位を生じさせるように制御するもので、特に、このズーム技術は軽薄短小の携帯電話構造に応用され、一層その困難性を増している。また、レンズの連動機構の多くは、ステッピングモーター（ｓｔｅｐｐｉｎｇ  ｍｏｔｏｒ）を使用して制御する。このステッピングモーターが高コスト、長使用寿命であり、かつ日本産業界は重要なパーツを掌握しているので、この類のレンズの連動機構のコストを依然として低減し難い問題があった。
【考案の概要】
【考案が解決しようとする課題】
【０００４】
本考案の目的は、重力影響を排除するレンズオートフォーカスのできるフォーカス駆動装置。
【課題を解決するための手段】
【０００５】
上述の目的を達成するため、実施例によれば、外部ホルダ（ｏｕｔｅｒ−ｈｏｌｄｅｒ）と、複数の第１サスペンション部材（ｓｕｓｐｅｎｓｉｏｎ  ｅｌｅｍｅｎｔ）と、磁石セット（ｍａｇｎｅｔ  ｓｅｔ）と、内部ホルダ（ｉｎｎｅｒ−ｈｏｌｄｅｒ）と、コイル（ｃｏｉｌ）と、複数の内部プリント回路板（ｐｒｉｎｔｅｄ  ｃｉｒｃｕｉｔ  ｂｏａｒｄ，ＰＣＢ）と、複数の外部プリント回路板とを備えるフォーカス駆動装置を提供する。当該第１サスペンション部材の第２端は、前記外部ホルダに設置される外部プリント回路板に固定され、前記第２端を固定端（ｆｉｘｅｄ  ｅｎｄ）に形成させ、当該第１サスペンション部材の第１端は、前記内部ホルダに設置される内部プリント回路板に固定され、前記第１端を可動端（ｍｏｖｅａｂｌｅ  ｅｎｄ）に形成させる。前記内部ホルダの外部に前記コイルが設けられ、前記内部ホルダは、前記外部ホルダの磁石セットで形成される空間に設置される。連続電流が通電される前記コイルと前記磁石セットとの間で磁力作用を生じる時、前記内部ホルダを、前記内部ホルダと平行する方向（例えばＸ方向）に往復運動を行わせることができる。
【考案の効果】
【０００６】
本考案のフォーカス駆動装置において、内部ホルダの外部を覆うコイルと外部ホルダに設置される磁石セットとは、互いに対向設置され、電流が通電されるコイルとこの磁石セットとの間で生じる磁力作用を利用して、第１サスペンション部材の第１端に設置される内部ホルダを往復運動を行わせることができる。
【図面の簡単な説明】
【０００７】
【図１】本開示の実施例により、フォーカス駆動装置を説明する図である。
【図２】フォーカス駆動装置の細部部材を説明する図である。
【図３】フォーカス駆動装置の組合せ模式図である。
【図４】サスペンション部材の別の実施範例を示す図である。
【図５】図４を説明する組合せ模式図である。
【考案を実施するための形態】
【０００８】
図１は、本開示の実施例により、フォーカス駆動装置を説明する図である。フォーカス駆動装置１０は、外部ホルダ１１と、第１サスペンション部材１２と、磁石セット１３と、内部ホルダ１４と、コイル１５と、複数の内部プリント回路板１６と、複数の外部プリント回路板１７とを備える。第１サスペンション部材１２の第２端１２２は、外部ホルダ１１に設置される外部プリント回路板１７に固定され、第２端１２２を固定端に形成させ、第１サスペンション部材１２の第１端１２１は、内部ホルダ１４に設置される内部プリント回路板１６に固定され、第１端１２１を可動端に形成させる。内部ホルダ１４の外部にコイル１５が設けられ、内部ホルダ１４は、外部ホルダ１１の磁石セット１３で形成される空間に設置される。連続電流が通電されるコイル１５と磁石セット１３との間で磁力作用を生じる時、内部ホルダ１４を、内部ホルダ１４と平行する方向（例えばＸ方向）に往復運動を行わせることができる。図１では第１サスペンション部材１２を４本で説明する。
【０００９】
その中、この内部ホルダ１４の移動量は、この連続電流の強弱の調整を利用することにより制御される。この第１サスペンション部材１２は、弾性を有する鋼線である。
【００１０】
図２は、フォーカス駆動装置の細部部材を説明する図である。図２に示すように、フォーカス駆動装置１０は、外部ホルダ１１と、第１サスペンション部材１２と、磁石セット１３と、内部ホルダ１４と、コイル１５と、複数の内部プリント回路板１６と、複数の外部プリント回路板１７とを備える。コイル１５は、内部ホルダ１４の外囲を覆う。外部プリント回路板１７は、外部ホルダ１１の外部に固定される。
【００１１】
図３は、フォーカス駆動装置の組合せ模式図である。図３に示すように、外部ホルダ１１の内部の周囲に磁石セット１３が設けられ、内部ホルダ１４は、磁石セット１３で形成される空間に設置され、内部ホルダ１４の外部を覆うコイルと磁石セット１３とは、互いに対向設置される。第１サスペンション部材１２の第２端１２２は、外部プリント回路板１７に固定される。内部ホルダ１４は、少なくとも１枚のレンズを受容して内部ホルダ１４の中空部に組み込まれるために用いられる。
【００１２】
図４は、サスペンション部材の別の実施範例を示す図である。図４に示すように、本実施例において、第２サスペンション部材４０を追加して説明する。第１サスペンション部材１２は、内部プリント回路板１６の上部に設置されるのと相違し、第２サスペンション部材４０の第１端４０１は、内部プリント回路板１６の下部に固定される。本実施例の第２サスペンション部材４０を４本で説明する。この第２サスペンション部材４０は、弾性を有する鋼線である。
【００１３】
図５は、図４を説明する組合せ模式図である。図５に示すように、第２サスペンション部材４０の第２端４０２は、外部プリント回路板１７に固定される。第２サスペンション部材４０を追加すれば、可動部の作動時の安定性を高める効果を有する。
【００１４】
上記を総合すると、本考案のフォーカス駆動装置において、内部ホルダの外部を覆うコイルと外部ホルダに設置される磁石セットとは、互いに対向設置され、電流が通電されるコイルとこの磁石セットとの間で生じる磁力作用を利用して、第１サスペンション部材の第１端に設置される内部ホルダを往復運動を行わせることができる。
【００１５】
本考案は確実に予期された作用効果と目的を達成し、並びにこの技術に習熟した者がこれをもとに実施できるほどに詳細に説明されたが、以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００１６】
１０  フォーカス駆動装置
１１  外部ホルダ
１２  第１サスペンション部材
１２１  第１端
１２２  第２端
１３  磁石セット
１４  内部ホルダ
１５  コイル
１６  内部プリント回路板
１７  外部プリント回路板
４０  第２サスペンション部材
４０１  第１端
４０２  第２端
【図１】
0003202966.tif 000003
【図２】
0003202966.tif 000004
【図３】
0003202966.tif 000005
【図４】
0003202966.tif 000006
【図５】
0003202966.tif 000007